(57)【要約】【課題】膜厚均一性およびキャリア濃度均一性に優れ、表面欠陥の少ない高品質なＳｉＣエピタキシャルウェハ、ＳｉＣエピタキシャルウェハの製造装置、ＳｉＣエピタキシャルウェハの製造方法、および半導体装置を提供する。【解決手段】ＳｉＣエピタキシャルウェハ１は、基板２と、基板２上に配置されたＳｉＣエピタキシャル成長層３とを備え、ＳｉＣエピタキシャル成長層３は、Ｓｉ化合物をＳｉの供給源とし、Ｃ化合物をＣの供給源とし、Ｓｉ化合物とＣ化合物の両方、またはいずれか一方は、フッ素（Ｆ）を含む化合物を供給源として備える。ここで、Ｓｉ化合物は、一般的に、ＳｉnＨxＣｌyＦz（ｎ＞＝１，ｘ＞＝０、ｙ＞＝０、ｚ＞＝１、ｘ＋ｙ＋ｚ＝２ｎ＋２）で表わされ、Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表わされる。【選択図】図４
2015230998.tif 000002
【特許請求の範囲】
【請求項１】
基板と、
前記基板上に配置されたＳｉＣエピタキシャル成長層と
を備え、前記ＳｉＣエピタキシャル成長層は、Ｓｉ化合物をＳｉの供給源とし、Ｃ化合物をＣの供給源とし、
前記Ｓｉ化合物と前記Ｃ化合物の両方、またはいずれか一方は、フッ素を含む化合物を備えることを特徴とするＳｉＣエピタキシャルウェハ。
【請求項２】
前記Ｓｉ化合物は、ＳｉＦ4、ＳｉＨ3Ｆ、ＳｉＨ2Ｆ2、若しくはＳｉＨＦ3のいずれかを備えることを特徴とする請求項１に記載のＳｉＣエピタキシャルウェハ。
【請求項３】
前記Ｓｉ化合物は、ＳｉnＨxＣｌyＦz（ｎ＞＝１，ｘ＞＝０、ｙ＞＝０、ｚ＞＝１、ｘ＋ｙ＋ｚ＝２ｎ＋２）で表わされることを特徴とする請求項１に記載のＳｉＣエピタキシャルウェハ。
【請求項４】
前記Ｃ化合物は、ＣＦ4、Ｃ2Ｆ6、Ｃ3Ｆ8、Ｃ4Ｆ6、Ｃ4Ｆ8、Ｃ5Ｆ8、ＣＨＦ3、ＣＨ2Ｆ2、ＣＨ3Ｆ、若しくはＣ2ＨＦ5のいずれかを備えることを特徴とする請求項１に記載のＳｉＣエピタキシャルウェハ。
【請求項５】
前記Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表わされることを特徴とする請求項１に記載のＳｉＣエピタキシャルウェハ。
【請求項６】
前記ＳｉＣエピタキシャル成長層は、４Ｈ−ＳｉＣ、６Ｈ−ＳｉＣ、２Ｈ−ＳｉＣ、若しくは３Ｃ−ＳｉＣのいずれかを備えることを特徴とする請求項１〜５のいずれか１項に記載のＳｉＣエピタキシャルウェハ。
【請求項７】
前記基板は、４Ｈ−ＳｉＣ、６Ｈ−ＳｉＣ、ＢＮ、ＡｌＮ、Ａｌ2Ｏ3、Ｇａ2Ｏ3、ダイヤモンド、カーボン、若しくはグラファイトのいずれかを備えることを特徴とする請求項１〜６のいずれか１項に記載のＳｉＣエピタキシャルウェハ。
【請求項８】
ＳｉＣインゴットを準備し、オフ角を付けて切り出し、研磨してＳｉＣベアウェハを形成する工程と、
前記ＳｉＣベアウェハの切り出し面を除去し、ＳｉＣ基板を形成する工程と、
前記ＳｉＣ基板の主面上に酸化膜を形成する工程と、
前記酸化膜を除去する工程と、
前記ＳｉＣ基板上に、ＳｉＣエピタキシャル成長層を結晶成長させる工程と
を有し、供給される原料ガスは、Ｓｉの供給源となるＳｉ化合物およびＣの供給源となるＣ化合物を備え、
前記Ｓｉ化合物と前記Ｃ化合物の両方、またはいずれか一方は、フッ素を含む化合物を備えることを特徴とするＳｉＣエピタキシャルウェハの製造方法。
【請求項９】
前記Ｓｉ化合物は、ＳｉＦ4、ＳｉＨ3Ｆ、ＳｉＨ2Ｆ2、若しくはＳｉＨＦ3のいずれかを備えることを特徴とする請求項８に記載のＳｉＣエピタキシャルウェハの製造方法。
【請求項１０】
前記Ｓｉ化合物は、ＳｉnＨxＣｌyＦz（ｎ＞＝１，ｘ＞＝０、ｙ＞＝０、ｚ＞＝１、ｘ＋ｙ＋ｚ＝２ｎ＋２）で表わされることを特徴とする請求項８に記載のＳｉＣエピタキシャルウェハの製造方法。
【請求項１１】
前記Ｃ化合物は、ＣＦ4、Ｃ2Ｆ6、Ｃ3Ｆ8、Ｃ4Ｆ6、Ｃ4Ｆ8、Ｃ5Ｆ8、ＣＨＦ3、ＣＨ2Ｆ2、ＣＨ3Ｆ、若しくはＣ2ＨＦ5のいずれかを備えることを特徴とする請求項８に記載のＳｉＣエピタキシャルウェハの製造方法。
【請求項１２】
前記Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表わされることを特徴とする請求項８に記載のＳｉＣエピタキシャルウェハの製造方法。
【請求項１３】
前記ＳｉＣエピタキシャル成長層は、４Ｈ−ＳｉＣ、６Ｈ−ＳｉＣ、２Ｈ−ＳｉＣ、若しくは３Ｃ−ＳｉＣのいずれかを備えることを特徴とする請求項８〜１２のいずれか１項に記載のＳｉＣエピタキシャルウェハの製造方法。
【請求項１４】
前記ＳｉＣエピタキシャル成長層を結晶成長させる温度プロファイルは、前記ＳｉＣエピタキシャル成長層を堆積する直前の水素エッチングの設定温度が、前記ＳｉＣエピタキシャル成長層を堆積する設定温度よりも低いことを特徴とする請求項８〜１３のいずれか１項に記載のＳｉＣエピタキシャルウェハの製造方法。
【請求項１５】
前記ＳｉＣエピタキシャル成長層を結晶成長させる温度プロファイルは、前記ＳｉＣエピタキシャル成長層を堆積する直前の水素エッチングの設定温度が、前記ＳｉＣエピタキシャル成長層を堆積する設定温度に等しいことを特徴とする請求項８〜１３のいずれか１項に記載のＳｉＣエピタキシャルウェハの製造方法。
【請求項１６】
前記ＳｉＣエピタキシャル成長層を結晶成長させる温度プロファイルは、前記ＳｉＣエピタキシャル成長層を堆積する直前の水素エッチングの設定温度が、前記ＳｉＣエピタキシャル成長層を堆積する設定温度よりも高いことを特徴とする請求項８〜１３のいずれか１項に記載のＳｉＣエピタキシャルウェハの製造方法。
【請求項１７】
ガス注入口と、
ガス排気口と、
加熱部と、
反応炉と
を備え、供給される原料ガスは、Ｓｉの供給源となるＳｉ化合物およびＣの供給源となるＣ化合物を備え、
前記Ｓｉ化合物と前記Ｃ化合物の両方、またはいずれか一方は、フッ素を含む化合物を備えることを特徴とするＳｉＣエピタキシャルウェハの製造装置。
【請求項１８】
前記Ｓｉ化合物は、ＳｉnＨxＣｌyＦz(ｎ＞＝１、ｘ＞＝０、ｙ＞＝０、ｚ＞＝１、ｘ＋ｙ＋ｚ＝２ｎ＋２）で表され、
前記Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表されることを特徴とする請求項１７に記載のＳｉＣエピタキシャルウェハの製造装置。
【請求項１９】
前記反応炉は、縦型反応炉を備え、前記縦型反応炉内には、複数枚のＳｉＣエピタキシャルウェハがフェースアップまたはフェースダウンに配置可能であることを特徴とする請求項１７または１８に記載のＳｉＣエピタキシャルウェハの製造装置。
【請求項２０】
前記反応炉は、縦型反応炉を備え、前記縦型反応炉内には、複数枚のＳｉＣエピタキシャルウェハがガスの流れに対して平行になるように配置可能であることを特徴とする請求項１７または１８に記載のＳｉＣエピタキシャルウェハの製造装置。
【請求項２１】
前記反応炉は、横型反応炉を備え、前記横型反応炉内には、複数枚のＳｉＣエピタキシャルウェハが横型反応炉内には、複数枚のＳｉＣエピタキシャルウェハがガスの流れに対して対向するように立てて配置可能であることを特徴とする請求項１７または１８に記載のＳｉＣエピタキシャルウェハの製造装置。
【請求項２２】
前記反応炉は、横型反応炉を備え、前記横型反応炉内には、複数枚のＳｉＣエピタキシャルウェハがフェースアップまたはフェースダウンに配置可能であることを特徴とする請求項１７または１８に記載のＳｉＣエピタキシャルウェハの製造装置。
【請求項２３】
前記加熱部の加熱方式としては、抵抗加熱、コイルを用いた誘導加熱、若しくはランプ加熱を用いることを特徴とする請求項１７〜２２のいずれか１項に記載のＳｉＣエピタキシャルウェハの製造装置。
【請求項２４】
キャリアガスは、Ｈ2、Ａｒ、ＨＣｌ、Ｆ2のいずれか１つ以上を適用可能であることを特徴とする請求項１７〜２３のいずれか１項に記載のＳｉＣエピタキシャルウェハの製造装置。
【請求項２５】
ドーパントの原料としては、Ｎ2またはトリメチルアルミニウムを適用可能であることを特徴とする請求項１７〜２４のいずれか１項に記載のＳｉＣエピタキシャルウェハの製造装置。
【請求項２６】
請求項１〜７のいずれか１項に記載のＳｉＣエピタキシャルウェハを備える半導体装置。
【請求項２７】
前記半導体装置は、ＳｉＣショットキーバリアダイオード、ＳｉＣ−ＭＯＳＦＥＴ、ＳｉＣバイポーラトランジスタ、ＳｉＣダイオード、ＳｉＣサイリスタ、若しくはＳｉＣ絶縁ゲートバイポーラトランジスタのいずれかであることを特徴とする請求項２６に記載の半導体装置。
【発明の詳細な説明】
【技術分野】
【０００１】
本実施形態は、ＳｉＣエピタキシャルウェハ、ＳｉＣエピタキシャルウェハの製造装置、ＳｉＣエピタキシャルウェハの製造方法、および半導体装置に関する。
【背景技術】
【０００２】
近年、Ｓｉ半導体に比べて高耐圧化、大電流化、低オン抵抗化、高効率化、低消費電力化、高速スイッチングなどを実現できるシリコンカーバイド（ＳｉＣ：Silicon Carbide:炭化ケイ素）半導体が注目されている。
【０００３】
従来のＳｉＣエピタキシャル成長では、Ｓｉの供給源としては、モノシラン（ＳｉＨ4）、トリクロロシラン（ＳｉＨＣｌ3）、ジクロロシラン（ＳｉＨ2Ｃｌ2）、テトラクロロシラン（ＳｉＣｌ4）などを適用する。これらの原料の結合は、Ｓｉ−Ｈ結合またはＳｉ−Ｃｌ結合で表記される。
【０００４】
一方、所定の線密度以下のステップバンチングが形成されたＳｉＣエピタキシャル成長層を利用し、高品質かつ高信頼性の素子を作製できるＳｉＣエピタキシャルウェハも知られている。
【先行技術文献】
【特許文献】
【０００５】
【特許文献１】国際公開第２０１２／１４４６１４号
【特許文献２】米国特許第８，１６３，０８６号明細書
【特許文献３】特開２０１３−６３８９１号公報
【非特許文献】
【０００６】
【非特許文献１】マーチン・エル・ハモンド（Martin L. Hammond）著, “第２章  化学的気相堆積によるシリコンエピタキシャル成長（2/ Silicon Epitaxy by Chemical Vapor Deposition）”, クリシュナ・セシャン（Krishna Seshan）編、「薄膜デポジション技術ハンドブック―原理・方法・装置および応用（Handbook of Thin film Deposition Techniques Principles, Methods, Equipment and Applications）」第２版（Second Edition）、ウィリアムアンドリュー社（William Andrew Inc.）、２００１年、ｐｐ.４５−１１０
【発明の概要】
【発明が解決しようとする課題】
【０００７】
Ｓｉ−Ｈ結合の方がＳｉ−Ｃｌ結合よりも結合エネルギーが低いため、ＳｉＣのエピタキシャル成長温度では、Ｓｉ−Ｈ結合の方がＳｉ−Ｃｌ結合よりも過剰に解離する。Ｓｉ−Ｈ結合の方が過剰に解離した結果、原料がエピタキシャル成長用基板に到達するよりも前に気相中で反応してしまい、パーティクルを生成させる。この結果、発生したパーティクルは、エピタキシャルウェハ表面に、欠陥を発生させ、結果として歩留りを低下させ、品質の悪いエピタキシャルウェハとなってしまう。
【０００８】
また、過剰な気相反応においては、解離した原料と未反応な原料の割合は原料が流れている途中で変化するため、膜厚分布や濃度分布に影響し、均一性に優れたウェハを供給することが難しい。
【０００９】
本実施形態は、膜厚均一性およびキャリア濃度均一性に優れ、表面欠陥の少ない高品質なＳｉＣエピタキシャルウェハ、ＳｉＣエピタキシャルウェハの製造装置、ＳｉＣエピタキシャルウェハの製造方法、および半導体装置を提供する。
【課題を解決するための手段】
【００１０】
実施の形態の一態様によれば、基板と、前記基板上に配置されたＳｉＣエピタキシャル成長層とを備え、前記ＳｉＣエピタキシャル成長層は、Ｓｉ化合物をＳｉの供給源とし、Ｃ化合物をＣの供給源とし、前記Ｓｉ化合物と前記Ｃ化合物の両方、またはいずれか一方は、フッ素を含む化合物を供給源として備えるＳｉＣエピタキシャルウェハが提供される。
【００１１】
実施の形態の他の態様によれば、ＳｉＣインゴットを準備し、オフ角を付けて切り出し、研磨してＳｉＣベアウェハを形成する工程と、前記ＳｉＣベアウェハの切り出し面を除去し、ＳｉＣ基板を形成する工程と、前記ＳｉＣ基板の主面上に酸化膜を形成する工程と、前記酸化膜を除去する工程と、前記ＳｉＣ基板上に、ＳｉＣエピタキシャル成長層を結晶成長させる工程とを有し、供給される原料ガスは、Ｓｉの供給源となるＳｉ化合物およびＣの供給源となるＣ化合物を備え、前記Ｓｉ化合物と前記Ｃ化合物の両方、またはいずれか一方は、フッ素を含む化合物を備えるＳｉＣエピタキシャルウェハの製造方法が提供される。
【００１２】
実施の形態の他の態様によれば、ガス注入口と、ガス排気口と、加熱部と、反応炉とを備え、供給される原料ガスは、Ｓｉの供給源となるＳｉ化合物およびＣの供給源となるＣ化合物を備え、前記Ｓｉ化合物と前記Ｃ化合物の両方、またはいずれか一方は、フッ素を含む化合物を備えるＳｉＣエピタキシャルウェハの製造装置が提供される。
【００１３】
実施の形態の他の態様によれば、上記のＳｉＣエピタキシャルウェハを適用した半導体装置が提供される。
【発明の効果】
【００１４】
本実施形態によれば、膜厚均一性およびキャリア濃度均一性に優れ、表面欠陥の少ない高品質なＳｉＣエピタキシャルウェハ、ＳｉＣエピタキシャルウェハの製造装置、ＳｉＣエピタキシャルウェハの製造方法、および半導体装置を提供することができる。
【図面の簡単な説明】
【００１５】
【図１】Ｓｉ、Ｃ、Ｎ、Ｆの結合エネルギーをまとめた図。
【図２】比較例に係るＳｉのエピタキシャル成長において、成長速度の温度依存性を示す図。
【図３】比較例に係るＳｉのエピタキシャル成長において、原料、成長速度、温度範囲、酸化剤許容量の成長条件をまとめた図。
【図４】実施の形態に係るＳｉＣエピタキシャルウェハのＳｉＣエピタキシャル成長において、成長速度の温度依存性を示す図。
【図５】実施の形態に係るＳｉＣエピタキシャルウェハの模式的鳥瞰構成図。
【図６】（ａ）実施の形態に係るＳｉＣエピタキシャルウェハに適用可能な４Ｈ−ＳｉＣ結晶のユニットセルの模式的鳥瞰構成図、（ｂ）４Ｈ−ＳｉＣ結晶の２層部分の模式的構成図、（ｂ）４Ｈ−ＳｉＣ結晶の４層部分の模式的構成図。
【図７】図６（ａ）に示す４Ｈ−ＳｉＣ結晶のユニットセルを（０００１）面の真上から見た模式的構成図。
【図８】実施の形態に係るＳｉＣエピタキシャルウェハの製造方法を示す模式的鳥瞰構造図であって、（ａ）六方晶ＳｉＣインゴットを準備し、（０００１）面に対してオフ角θを付けて切り出し、研磨して複数枚のＳｉＣベアウェハを形成する工程図、（ｂ）機械加工後、ＳｉＣベアウェハの切り出し面（（０００１）面）を５００ｎｍ以上除去する工程図、（ｃ）ＳｉＣ基板の主面（０００１）面を酸化処理することにより、ＳｉＣ基板の主面に酸化膜を形成する工程図、（ｄ）ＳｉＣ基板上に、ＳｉＣエピタキシャル成長層を形成する工程図。
【図９】実施の形態に係るＳｉＣエピタキシャルウェハのエピ品質イメージ例であって、ウェハ上のパーティクルを含めた表面凹凸欠陥密度が約０．０７ｃｍ-2（欠陥数１２個(１５０ｍｍΦウェハの場合)。
【図１０】比較例に係るＳｉＣエピタキシャルウェハのエピ品質イメージ例であって、ウェハ上のパーティクルを含めた表面凹凸欠陥密度が約１ｃｍ-2（欠陥数１７３個(１５０ｍｍΦウェハの場合)。
【図１１】実施の形態に係るＳｉＣエピタキシャル成長において、成長温度と時間との関係を示す図（ＣＶＤ温度プロファイル例１）。
【図１２】実施の形態に係るＳｉＣエピタキシャル成長において、成長温度と時間との関係を示す図（ＣＶＤ温度プロファイル例２）。
【図１３】実施の形態に係るＳｉＣエピタキシャル成長において、成長温度と時間との関係を示す図（ＣＶＤ温度プロファイル例３）。
【図１４】実施の形態に係るＳｉＣエピタキシャル成長に適用可能な第１の製造装置の模式的構成図。
【図１５】実施の形態に係るＳｉＣエピタキシャル成長に適用可能な第２の製造装置の模式的構成図。
【図１６】実施の形態に係るＳｉＣエピタキシャル成長に適用可能な第３の製造装置の模式的構成図。
【図１７】実施の形態に係るＳｉＣエピタキシャル成長に適用可能な第４の製造装置の模式的構成図。
【図１８】実施の形態に係るＳｉＣエピタキシャルウェハを用いて作製したショットキーバリアダイオードの模式的断面構造図。
【図１９】実施の形態に係るＳｉＣエピタキシャルウェハを用いて作製したトレンチゲート型ＭＯＳＦＥＴの模式的断面構造図。
【図２０】実施の形態に係るＳｉＣエピタキシャルウェハを用いて作製したプレーナゲート型ＭＯＳＦＥＴの模式的断面構造図。
【発明を実施するための形態】
【００１６】
次に、図面を参照して、実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１７】
又、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１８】
[比較例]
比較例に係るＳｉのエピタキシャル成長において、成長速度の温度依存性は、図２に示すように表わされる。図２において、破線ＳＬは、Ｓｉのエピタキシャル成長において、供給律速（Diffusion Control）領域ＤＣと、反応律速（Kinetic Control）領域ＫＣとの境界線を表す。
【００１９】
また、比較例に係るＳｉのエピタキシャル成長において、原料、成長速度、温度範囲、酸化剤許容量の成長条件は、図３に示すように表わされる。ここで、酸化剤は、反応炉やサセプタから供給される水蒸気などであり、許容量以下に抑える必要がある。
【００２０】
比較例に係るＳｉエピタキシャル成長では、原料となるＳｉの供給源として、ＳｉＨ4、ＳｉＨＣｌ3、ＳｉＨ2Ｃｌ2、ＳｉＣｌ4などを適用する。
【００２１】
比較例に係るＳｉエピタキシャル成長では、ＳｉＣｌ4を用いる場合の成長速度は０．４〜１．５（μｍ／分）、成長温度は１１５０℃〜１２５０℃であり、ＳｉＨＣｌ3を用いる場合の成長速度は０．４〜３．０（μｍ／分）、成長温度は１１００℃〜１２００℃であり、ＳｉＨ2Ｃｌ2を用いる場合の成長速度は０．３〜２．０（μｍ／分）、成長温度は１０５０℃〜１１５０℃であり、ＳｉＨ4を用いる場合の成長速度は０．１〜０．３（μｍ／分）、成長温度は９５０℃〜１０５０℃である。
【００２２】
Ｓｉ、Ｃ、Ｎ、Ｆ、Ｃｌの結合エネルギーＤ（ｋＪ／ｍｏｌ）は、一般的に、図１に示すように表わされる。例えば、Ｓｉ−Ｓｉの結合エネルギーは２２２（ｋＪ／ｍｏｌ）であるのに対して、Ｓｉ−Ｃの結合エネルギーは３１８（ｋＪ／ｍｏｌ）、Ｓｉ−Ｎの結合エネルギーは３５５（ｋＪ／ｍｏｌ）、Ｓｉ−Ｃｌの結合エネルギーは３８１（ｋＪ／ｍｏｌ）、Ｓｉ−Ｆの結合エネルギーは５６５（ｋＪ／ｍｏｌ）である。
【００２３】
また、Ｃ−Ｎの結合エネルギーは３０５（ｋＪ／ｍｏｌ）、Ｃ−Ｓｉの結合エネルギーは３１８（ｋＪ／ｍｏｌ）、Ｃ−Ｃの結合エネルギーは３４６（ｋＪ／ｍｏｌ）、Ｃ−Ｈの結合エネルギーは４１１（ｋＪ／ｍｏｌ）、Ｃ−Ｆの結合エネルギーは４８５（ｋＪ／ｍｏｌ）、Ｃ＝Ｃの結合エネルギーは６０２（ｋＪ／ｍｏｌ）、Ｃ−＝Ｃの結合エネルギーは８３５（ｋＪ／ｍｏｌ）である。
【００２４】
また、Ｎ−Ｎの結合エネルギーは１６７（ｋＪ／ｍｏｌ）、Ｎ−Ｆの結合エネルギーは２８３（ｋＪ／ｍｏｌ）、Ｎ−Ｃの結合エネルギーは３０５（ｋＪ／ｍｏｌ）、Ｎ−Ｃｌの結合エネルギーは３１３（ｋＪ／ｍｏｌ）、Ｎ−Ｓｉの結合エネルギーは３５５（ｋＪ／ｍｏｌ）、Ｎ−Ｈの結合エネルギーは３８６（ｋＪ／ｍｏｌ）、Ｎ＝Ｎの結合エネルギーは４１８（ｋＪ／ｍｏｌ）、Ｎ−＝Ｎの結合エネルギーは９４２（ｋＪ／ｍｏｌ）である。
【００２５】
一方、Ｆ−Ｆの結合エネルギーは１５５（ｋＪ／ｍｏｌ）、Ｃｌ−Ｃｌの結合エネルギーは２４０（ｋＪ／ｍｏｌ）、Ｆ−Ｎの結合エネルギーは２８３（ｋＪ／ｍｏｌ）、Ｃｌ−Ｎの結合エネルギーは３０５（ｋＪ／ｍｏｌ）、Ｃｌ−Ｎの結合エネルギーは３１３（ｋＪ／ｍｏｌ）、Ｃｌ−Ｃの結合エネルギーは３２７（ｋＪ／ｍｏｌ）、Ｃｌ−Ｓｉの結合エネルギーは３８１（ｋＪ／ｍｏｌ）、Ｆ−Ｃの結合エネルギーは４８５（ｋＪ／ｍｏｌ）、Ｆ−Ｃの結合エネルギーは４８５（ｋＪ／ｍｏｌ）、Ｆ−Ｈの結合エネルギーは５６５（ｋＪ／ｍｏｌ）、Ｆ−Ｓｉの結合エネルギーは５６５（ｋＪ／ｍｏｌ）である。
【００２６】
ここで、ＳｉＣのエピタキシャル成長温度、例えば、約１６００℃を想定した場合、Ｓｉ−Ｈ結合の方がＳｉ−Ｃｌ結合よりも結合エネルギーが低いため、ＳｉＣのエピタキシャル成長温度では、Ｓｉ−Ｈ結合の方がＳｉ−Ｃｌ結合よりも過剰に解離する。Ｓｉ−Ｈ結合の方が過剰に解離した結果、原料がエピタキシャル成長用基板に到達するよりも前に気相中で反応してしまい、パーティクルを生成させる。この結果、発生したパーティクルは、エピタキシャルウェハ表面に、パーティクル、ダウンフォール、三角欠陥などの欠陥を発生させ、結果としてデバイスとして使用できる領域を制限してしまうため、品質の悪いエピタキシャルウェハとなってしまう。
【００２７】
Ｓｉ−Ｃｌ結合を用いることで、Ｓｉ−Ｈ結合よりも解離する温度は高くなるが、１６００℃以上というＳｉＣのエピタキシャル成長温度では、やはり過剰に解離してしまう。
【００２８】
同様に、化合物に含まれるすべての結合が、Ｃ−Ｈ結合、Ｃ−Ｃ結合、Ｃ−Ｃｌ結合で表記されるＣの原料の場合もＳｉＣのエピタキシャル成長温度では、気相反応を抑制させるという点では十分ではない。ＳｉとＣを同時に含む化合物原料を適用する場合も同様である。
【００２９】
また、過剰な気相反応は、さらなる課題が発生する。解離した原料と未反応な原料の割合は原料が流れている途中で常に変化する。その結果、膜厚分布や濃度分布に影響し、均一性に優れたウェハを供給することが難しい。
【００３０】
[実施の形態]
実施の形態に係るＳｉＣエピタキシャルウェハのＳｉＣエピタキシャル成長において、成長速度の温度依存性は、図４に示すように表わされる。図４において、破線ＣＬは、ＳｉＣのエピタキシャル成長において、物質輸送律速（供給律速、Diffusion Control）領域ＤＣと、表面反応律速（Kinetic Control）領域ＫＣとの境界線を表す。また、図４において、矢印ＴＲで示される領域が、ＳｉＣのエピタキシャル成長に適用可能な温度範囲であり、例えば、約１６００℃以上である。上限は、例えば、融点に近い約２７００℃である。望ましくは、ＳｉＣのエピタキシャル成長に適用可能な温度範囲は、１６００℃以上２２００℃以下である。
【００３１】
実施の形態に係るＳｉＣエピタキシャルウェハ１は、図５に示すように、基板２と、基板２上に配置されたＳｉＣエピタキシャル成長層３とを備える。ここで、ＳｉＣエピタキシャル成長層は、Ｓｉ化合物をＳｉの供給源とし、Ｃ化合物をＣの供給源とする。また、Ｓｉ化合物とＣ化合物の両方、またはいずれか一方は、フッ素（Ｆ）を含む化合物を供給源として備える。
【００３２】
Ｓｉ化合物としては、例えば、ＳｉＦ4、ＳｉＨ3Ｆ、ＳｉＨ2Ｆ2、若しくはＳｉＨＦ3のいずれかの材料で構成されていても良い。ＳｉＦ4、ＳｉＨ3Ｆ、ＳｉＨ2Ｆ2、ＳｉＨＦ3などの材料には、Ｓｉ−Ｆ結合が存在する。他には、Ｓｉ化合物としては、塩素(Ｃｌ)を含む化合物を用いても良い。
【００３３】
また、Ｓｉ化合物としては、一般的には、以下で表記可能である。すなわち、ＳｉnＨxＣｌyＦz（ｎ＞＝１，ｘ＞＝０、ｙ＞＝０、ｚ＞＝１、ｘ＋ｙ＋ｚ＝２ｎ＋２）で表わされる材料で構成されていても良い。
【００３４】
また、Ｃ化合物としては、ＣＦ4、Ｃ2Ｆ6、Ｃ3Ｆ8、Ｃ4Ｆ6、Ｃ4Ｆ8、Ｃ5Ｆ8、ＣＨＦ3、ＣＨ2Ｆ2、ＣＨ3Ｆ、若しくはＣ2ＨＦ5のいずれかの材料で構成されていても良い。ＣＦ4、Ｃ2Ｆ6、Ｃ3Ｆ8、Ｃ4Ｆ6、Ｃ4Ｆ8、Ｃ5Ｆ8、ＣＨ3Ｆ、ＣＨ2Ｆ2、ＣＨＦ3、Ｃ2ＨＦ5などの材料には、Ｃ−Ｆ結合が存在する。他には、Ｃ化合物には、塩素(Ｃｌ)を含む化合物を用いても良い。
【００３５】
また、Ｃ化合物としては、一般的には、以下で表記可能である。すなわち、ＣmＨqＣｌrＦs（ｍ＞＝１、ｑ＞＝０、ｒ＞＝０、ｓ＞＝１、ｑ＋ｒ＋ｓ＝２ｍ＋２）で表わされる材料で構成されていても良い。
【００３６】
また、ＳｉＣエピタキシャル成長層３は、４Ｈ−ＳｉＣ、６Ｈ−ＳｉＣ、２Ｈ−ＳｉＣ、若しくは３Ｃ−ＳｉＣのいずれかの材料で構成されていても良い。
【００３７】
基板は、４Ｈ−ＳｉＣ、６Ｈ−ＳｉＣ、ＢＮ、ＡｌＮ、Ａｌ2Ｏ3、Ｇａ2Ｏ3、ダイヤモンド、カーボン、若しくはグラファイトのいずれかで表わされる材料で構成されていても良い。
【００３８】
実施の形態に係るＳｉＣエピタキシャルウェハのＳｉＣエピタキシャル成長において、キャリアガスとしては、Ｈ2、Ａｒ、ＨＣｌ、Ｆ2のいずれか１つ以上を適用可能である。
【００３９】
Ｓｉ−Ｆ結合は、Ｓｉ−Ｈ結合またはＳｉ−Ｃｌ結合よりも結合エネルギーが高いため、ＳｉＣエピタキシャル成長に適している。Ｓｉ−Ｆ結合は、１６００℃以上の高温でも解離し難いため、気相反応を抑制できるという特長がある。気相反応が抑制された結果として、パーティクル、ダウンフォール、三角欠陥などの欠陥の発生が抑制される。したがって、製造歩留りが向上し、欠陥があるためにデバイス形成に利用できない領域を狭めることができ、品質の向上したウェハを提供可能である。
【００４０】
基板表面では、反応速度が、温度で制限されているため、供給濃度の分布に影響されず、温度の均一性が、膜厚均一性およびキャリア濃度の均一性に影響するため、制御性に優れたＳｉＣエピタキシャル成長が可能になる。
【００４１】
反応速度が温度で制限された状態であれば、ＳｉＣエピタキシャルウェハが、数１０枚以上の多数枚成長が容易になり、エピタキシャルウェハの生産性が向上する。
【００４２】
ＳｉＣエピタキシャル成長では、相対的に低温側(図４の境界線ＣＬの右側)では、表面反応律速領域ＫＣになり、相対的に高温側(図４の境界線ＣＬの左側)では、物質輸送律速(供給律速)領域ＤＣになる。原料の結合エネルギーが高いほど、表面反応律速から物質輸送律速に切り替わる温度は高くなる。例えば、ＳｉＨ4は、結合エネルギーの低いＳｉ−Ｈ結合のみで構成されている。
【００４３】
ＳｉＨ4は相対的に低温側にあり、Ｓｉ−Ｃｌ結合(Ｓｉ−Ｈ結合より結合エネルギーが高い)が含まれるＳｉＨ2Ｃｌ2やＳｉＣｌ4は、ＳｉＨ4よりも相対的に高温側にある。
【００４４】
さらに、Ｓｉ−Ｆ結合(Ｓｉ−Ｃｌ結合より結合エネルギーが高い)が含まれるＳｉＨ2Ｆ2やＳｉＦ4は、相対的に高温側にある。ＳｉＣのエピタキシャル成長に必要な温度領域は、図の横軸で０．６よりも左側の矢印ＴＲで示される領域になるので、この温度領域で、表面反応律速となる原料としては、Ｓｉ−Ｆ結合を含む原料が好ましい。
【００４５】
（ＳｉＣエピタキシャルウェハ）
実施の形態に係るＳｉＣエピタキシャルウェハの模式的鳥瞰構成は、図５に示すように表わされる。
【００４６】
ＳｉＣエピタキシャルウェハ１は、例えば、４Ｈ−ＳｉＣからなり、ＳｉＣ基板２と、ＳｉＣ基板２に積層されたＳｉＣエピタキシャル成長層３とを備える。ＳｉＣ基板２の厚さｔ１は、例えば、約２００μｍ〜約５００μｍであり、ＳｉＣエピタキシャル成長層３の厚さｔ２は、例えば、約４μｍ〜約１００μｍである。
【００４７】
（結晶構造）
実施の形態に係るＳｉＣエピタキシャルウェハ１に適用可能な４Ｈ−ＳｉＣ結晶のユニットセルの模式的鳥瞰構成は、図６（ａ）に示すように表わされ、４Ｈ−ＳｉＣ結晶の２層部分の模式的構成は、図６（ｂ）に示すように表され、４Ｈ−ＳｉＣ結晶の４層部分の模式的構成は、図６（ｃ）に示すように表される。
【００４８】
また、図６（ａ）に示す４Ｈ−ＳｉＣの結晶構造のユニットセルを（０００１）面の真上から見た模式的構成は、図７に示すように表される。
【００４９】
図６（ａ）〜図６（ｃ）に示すように、４Ｈ−ＳｉＣの結晶構造は、六方晶系で近似することができ、１つのＳｉ原子に対して４つのＣ原子が結合している。４つのＣ原子は、Ｓｉ原子を中央に配置した正四面体の４つの頂点に位置している。これらの４つのＣ原子は、１つのＳｉ原子がＣ原子に対して［０００１］軸方向に位置し、他の３つのＣ原子がＳｉ原子に対して［０００−１］軸側に位置している。
【００５０】
［０００１］軸および［０００−１］軸は六角柱の軸方向に沿い、この［０００１］軸を法線とする面（六角柱の頂面）が（０００１）面（Ｓｉ面）である。一方、［０００−１］軸を法線とする面（六角柱の下面）が（０００−１）面（Ｃ面）である。
【００５１】
また、［０００１］軸に垂直であり、かつ（０００１）面の真上から見た場合において六角柱の互いに隣り合わない頂点を通る方向がそれぞれ、ａ１軸［２−１−１０］、ａ２軸［−１２−１０］およびａ３軸［−１−１２０］である。
【００５２】
図７に示すように、ａ１軸とａ２軸との間の頂点を通る方向が［１１−２０］軸であり、ａ２軸とａ３軸との間の頂点を通る方向が［−２１１０］軸であり、ａ３軸とａ１軸との間の頂点を通る方向が［１−２１０］軸である。
【００５３】
六角柱の各頂点を通る上記６本の軸の各間において、その両側の各軸に対して３０°の角度で傾斜していて、六角柱の各側面の法線となる軸がそれぞれ、ａ１軸と［１１−２０］軸との間から時計回りに順に、［１０−１０］軸、［１−１００］軸、［０−１１０］軸、［−１０１０］軸、［−１１００］軸および［０１−１０］軸である。これらの軸を法線とする各面（六角柱の側面）は、（０００１）面および（０００−１）面に対して直角な結晶面である。
【００５４】
（ＳｉＣエピタキシャルウェハの製造方法）
実施の形態に係るＳｉＣエピタキシャルウェハの製造方法は、ＳｉＣインゴットを準備し、オフ角を付けて切り出し、研磨してＳｉＣベアウェハを形成する工程と、ＳｉＣベアウェハの切り出し面を除去し、ＳｉＣ基板を形成する工程と、ＳｉＣ基板の主面上に酸化膜を形成する工程と、酸化膜を除去する工程と、ＳｉＣ基板上に、ＳｉＣエピタキシャル成長層を結晶成長させる工程とを有する。ここで、供給される原料ガスは、Ｓｉの供給源となるＳｉ化合物およびＣの供給源となるＣ化合物を備える。また、Ｓｉ化合物とＣ化合物の両方、またはいずれか一方は、Ｆを含む化合物を備える。
【００５５】
４Ｈ−ＳｉＣインゴットを、（０００１）面に対して[１１−２０]軸方向に４度のオフ角を付けて切り出すことにより、ＳｉＣベアウェハを得た。ウェハの直径は、約１５０ｍｍである。
【００５６】
次に、ＳｉＣベアウェハの切り出された面を研磨加工し、エピタキシャルウェハに適切な面を得た。研磨加工では、ウェハ端のべベル加工なども含み、機械的な加工だけでは加工ダメージを十分に除去できないため、化学的な効果も利用して、研磨表面を仕上げた。
【００５７】
エピタキシャル成長する前に、研磨表面は十分に洗浄し、表面を清浄にする。ここで、洗浄方法としては、ＲＣＡ洗浄、ブラシ洗浄、機能水洗浄、メガソニック洗浄などを用いることができる。
【００５８】
ウェハ設置後の反応炉内の圧力は、例えば、約１ｋＰａ〜約１００ｋＰａに保たれている。反応炉内には、原料のキャリアガスとなるＨ2を供給する。Ｈ2以外にＡｒガスを供給しても良い。
【００５９】
キャリアガスにＨＣｌまたはＨＦを混合することで、気相反応が抑制され、エピタキシャルウェハ上のパーティクルの発生を抑制し、高品質なウェハを供給可能である。
【００６０】
実施の形態に係るＳｉＣエピタキシャルウェハの製造方法を示す模式的鳥瞰構成であって、六方晶ＳｉＣインゴット１３を準備し、（０００１）面に対してオフ角θを付けて切り出し、研磨して複数枚のＳｉＣベアウェハ１４を形成する工程は、図８（ａ）に示すように表わされる。また、機械加工後、ＳｉＣベアウェハ１４の切り出し面１５を除去する工程は、図８（ｂ）に示すように表わされる。さらに、ＳｉＣ基板２の主面４を酸化処理することにより、ＳｉＣ基板２の主面４上に酸化膜を形成する工程は、図８（ｃ）に示すように表わされる。また、ＳｉＣ基板２上に、ＳｉＣエピタキシャル成長層３を形成する工程は、図８（ｄ）に示すように表わされる。
【００６１】
(ａ)まず、図８（ａ）に示すように、六方晶ＳｉＣインゴット１３を準備する。次に、ＳｉＣインゴット１３を、（０００１）面に対して［１１−２０］軸方向に４°以下のオフ角θを付けて切り出し、複数枚のＳｉＣベアウェハ１４を得る。次に、ＳｉＣベアウェハ１４の切り出し面１５（（０００１）面）を、ラップ加工などの機械加工により研磨する。
【００６２】
（ｂ）次に、図８（ｂ）に示すように、切り出し面１５（（０００１）面）を、例えば、約５００ｎｍ以上除去する。除去方法は、例えば、化学機械研磨（ＣＭＰ：Chemical Mechanical Polishing）技術、プラズマエッチング技術などを適用することができる。好ましくは、プラズマエッチングで行う。ＳｉＣは非常に硬い材料であるため、ダメージの少ないＣＭＰで５００ｎｍ以上除去するには数時間必要であるが、プラズマエッチングでは２０分程度の短時間で済む。一方、ＳｉＣベアウェハ１４の切り出し面１５については、ＳｉＣは非常に硬いため、プラズマエッチングによるダメージは少ない。以上の除去工程により、切り出し後の機械加工により発生したＳｉＣベアウェハ１４の切り出し面１５のダメージ層が十分に除去され、厚さｔ１として、例えば、約２００μｍ〜約５００μｍのＳｉＣ基板２が得られる。
【００６３】
（ｃ）次に、図１０（ｃ）に示すように、ＳｉＣ基板２の主面４（０００１）面を酸化処理し、ＳｉＣ基板２の主面４に酸化膜１６を形成する。酸化処理は、ドライ酸化法、ウエット酸化法のどちらで行なってもよい。なお、図示は省略するが、当該酸化膜１６は、ＳｉＣ基板２の裏面および周面にも形成される。その後、フッ酸（ＨＦ）を用いて、酸化膜１６を除去する。この酸化膜１６の形成工程および除去工程を行うことにより、ＣＭＰやプラズマエッチングで除去しきれなかったＳｉＣベアウェハ１４の切り出し面１５のダメージ層、ＣＭＰやプラズマエッチングの際に発生した変質層（ダメージ層）を確実に除去することができる。なお、酸化膜１６の形成工程および除去工程は、５００ｎｍ以上の除去処理後だけでなく、除去処理前でのみ行ってもよいし、除去処理の前後両方で行ってもよい。
【００６４】
（ｄ）次に、図１０（ｄ）に示すように、ＳｉＣ基板２上に、ＳｉＣエピタキシャル成長層３を結晶成長させる。
【００６５】
原料として、例えば、ＳｉＦ4とＣ3Ｆ8を供給した。ＳｉＦ4とＣ3Ｆ8は、それぞれＨ2ガスで希釈して、反応炉内へ供給した。希釈濃度は、１０％であるが、この値には限定されない。
【００６６】
エピタキシャル成長温度は、１６００℃以上で実施し、例えば、約１７５０℃が適切であった。
【００６７】
エピタキシャル成長したウェハ表面を検査した結果、ウェハ上のパーティクルを含めた表面凹凸欠陥密度は、０．０７ｃｍ-2以下であった。すなわち、１５０ｍｍウェハ上で１０個程度の欠陥しか発生せず、表面凹凸欠陥の少ない高品質なウェハが得られた。
【００６８】
ウェハのオフ角は、４度よりも小さくても良い。また、成長面は、Ｃ面、（１１−２０）面、（１０−１０）面であっても良い。
【００６９】
４Ｈ−ＳｉＣ以外にも６Ｈ−ＳｉＣを用いることもできる。ウェハは、１６００℃以上に加熱され、水素で希釈したＣ3Ｈ8を反応炉内へ供給し、ＳｉＣホモエピタキシャル成長を実施した。原料は、ＳｉＦ4の代わりにＳｉＨＦ3を用いることもできる。
【００７０】
１８００℃以上の高温でエピタキシャル成長するために、Ｃ3Ｈ8の代わりにＣＨＦ3
を用いた。
【００７１】
Ｓｉ−Ｆ結合は、Ｓｉ−Ｈ結合またはＳｉ−Ｃｌ結合よりも結合エネルギーが高い。結合エネルギーが高い方が高温でも結合が解離し難いため、過剰な反応を抑制可能である。
【００７２】
実施の形態に係るＳｉＣエピタキシャルウェハおよび製造装置において、Ｓｉ−Ｆ結合を含む原料は、ＳｉＣのエピタキシャル成長に適した温度で結合の解離が始まる。その結果、気相反応が抑制され、ＳｉＣ基板表面で、パーティクル、ダウンフォール、三角欠陥などの欠陥の発生が抑制される。したがって、製造歩留りが向上し、欠陥があるためにデバイス形成に利用できない領域を狭めることができ、品質の向上したウェハを提供可能である。
【００７３】
さらに、反応速度が、供給濃度よりも基板濃度で制限されるようになるため、温度の均一性がそのまま膜厚均一性およびキャリア濃度の均一性になるため、均一性に優れた品質の良好なＳｉＣエピタキシャルウェハを得ることができる。
【００７４】
同様に、Ｃ−Ｆ結合は、Ｃ−Ｈ結合、Ｃ−Ｃｌ結合、Ｃ−Ｃ結合よりも結合エネルギーが高いため、Ｓｉ−Ｆ結合を含む化合物と組み合わせて使用することで、さらに高い効果が得られる。
【００７５】
（成長温度範囲）
成長温度範囲の下限値は、約１４００℃である。装置の温度の下限値は厳密には、反応炉内の水素の流量及び流速に依存する。水素の流量及び流速が大きければ、水素がＳｉＣエピタキシャルウェハから熱を奪うため下限値は上昇する。逆に、水素の流量及び流速が小さければ、水素がＳｉＣエピタキシャルウェハから奪う熱が小さくなり、ＳｉＣエピタキシャルウェハの表面の温度は、水素流量及び流速が大きい時よりも上昇し、下限値は低下する。
成長温度が低いと、ＳｉＣエピタキシャル成長中に積層欠陥が発生し易くなり、ＳｉＣエピタキシャルウェハ面内の積層欠陥密度が上がる。積層欠陥密度は、例えば、フォトルミネッセンス（ＰＬ：Photoluminescence）イメージングで評価可能である。
【００７６】
成長温度範囲の上限値は、物性的には、融点近くまでは可能である。装置側の問題として、温度の上限値を上げると、装置のコストや構造が異なってくる。また温度を上げる時間も増加するので、製造コスト的にも温度が高すぎるのは好ましくない。したがって、製造コストの兼ね合いから、低い温度で成長できることが望ましい。しかしながら、低温では積層欠陥密度が高くなるＳｉＣ特有の問題があり、積層欠陥密度を下げるために温度を上げて成長している。そこで最適な温度範囲は、約１６００℃〜約１７５０℃になる。
【００７７】
好ましくは、積層欠陥密度が十分に低い、約１７５０℃である。しかし、これも上述の理由で、反応炉内の水素流量と水素の流速に依存する。
【００７８】
実施の形態に係るＳｉＣエピタキシャルウェハのエピ品質イメージ例は、図９に示すように表わされる。実施の形態に係るＳｉＣエピタキシャルウェハにおいては、ウェハ上のパーティクルを含めた表面凹凸欠陥密度が約０．０７ｃｍ-2が得られた。この数値は、１５０ｍｍΦウェハの場合において、欠陥数１２個の例に相当する。
【００７９】
比較例に係るＳｉＣエピタキシャルウェハのエピ品質イメージ例は、図１０に示すように表わされる。比較例に係るＳｉＣエピタキシャルウェハにおいては、ウェハ上のパーティクルを含めた表面凹凸欠陥密度が約１ｃｍ-2であった。この数値は、１５０ｍｍΦウェハの場合において、欠陥数１７３個の例に相当する。
【００８０】
（ＣＶＤ温度プロファイル）
―プロファイル例１―
実施の形態に係るＳｉＣエピタキシャル成長において、成長温度ＴG（℃）と時間ｔとの関係を示すＣＶＤ温度プロファイル例１は、図１１に示すように表わされる。
【００８１】
ＣＶＤ温度プロファイル例１は、ＳｉＣエピタキシャル成長層を堆積する直前の水素エッチング(in-situ Etching)の設定温度が、ＳｉＣエピタキシャル成長層を堆積する設定温度よりも低い場合に相当している。図１１において、直線Ｈは温度上昇期間、直線Ｅは水素エッチング期間、直線ＤはＳｉＣエピタキシャル成長期間、直線Ｃは温度下降期間を表す。
【００８２】
キャリアガスとして水素ガスを用いた場合、水素ガスは、他のガスに比べて比熱と熱伝導率が大きい。従って、水素ガスは、熱の容量が大きくかつ熱が容易に伝わるという性質がある。水素の流量が異なると、サセプタの設定温度が同じでもウェハ表面の温度は異なる。水素流量とウェハ表面の温度は互いに相関するため、水素流量に応じて、最適な水素エッチング温度は異なる。
【００８３】
ＣＶＤ温度プロファイル例１においては、図１１に示すように、ＳｉＣエピタキシャル成長層を堆積する直前の水素エッチングの設定温度Ｔ2が、ＳｉＣエピタキシャル成長層を堆積する設定温度Ｔ3よりも低く設定した例が示されている。
【００８４】
―プロファイル例２―
実施の形態に係るＳｉＣエピタキシャル成長において、成長温度ＴG（℃）と時間ｔとの関係を示すＣＶＤ温度プロファイル例２は、図１２に示すように表わされる。
【００８５】
ＣＶＤ温度プロファイル例２は、ＳｉＣエピタキシャル成長層を堆積する直前の水素エッチングの設定温度が、ＳｉＣエピタキシャル成長層を堆積する設定温度に等しい場合に相当している。図１１において、直線Ｈは温度上昇期間、直線Ｅ＋Ｄは水素エッチング期間およびＳｉＣエピタキシャル成長期間、直線Ｃは温度下降期間を表す。
【００８６】
上述したように、水素の流量が異なると、サセプタの設定温度が同じでもウェハ表面の温度は異なる。水素流量とウェハ表面の温度は互いに相関するため、水素流量に応じて、最適な水素エッチング温度は異なる。
【００８７】
ＣＶＤ温度プロファイル例２においては、図１２に示すように、ＳｉＣエピタキシャル成長層を堆積する直前の水素エッチングの設定温度を、ＳｉＣエピタキシャル成長層を堆積する設定温度Ｔ3に等しく設定した例が示されている。
【００８８】
―プロファイル例３―
実施の形態に係るＳｉＣエピタキシャル成長において、成長温度ＴG（℃）と時間ｔとの関係を示すＣＶＤ温度プロファイル例３は、図１３に示すように表わされる。
【００８９】
ＣＶＤ温度プロファイル例３は、ＳｉＣエピタキシャル成長層を堆積する直前の水素エッチングの設定温度が、ＳｉＣエピタキシャル成長層を堆積する設定温度よりも高い場合に相当している。図１３において、直線Ｈは温度上昇期間、直線Ｅは水素エッチング期間、直線ＤはＳｉＣエピタキシャル成長期間、直線Ｃは温度下降期間を表す。
【００９０】
上述したように、水素の流量が異なると、サセプタの設定温度が同じでもウェハ表面の温度は異なる。水素流量とウェハ表面の温度は互いに相関するため、水素流量に応じて、最適な水素エッチング温度は異なる。
【００９１】
ＣＶＤ温度プロファイル例３においては、図１３に示すように、ＳｉＣエピタキシャル成長層を堆積する直前の水素エッチングの設定温度Ｔ2が、ＳｉＣエピタキシャル成長層を堆積する設定温度Ｔ3よりも高く設定した例が示されている。
【００９２】
（製造装置）
実施の形態に係るＳｉＣエピタキシャルウェハの製造装置は、ガス注入口と、ガス排気口と、加熱部と、反応炉とを備える。ここで、供給される原料ガスは、Ｓｉの供給源となるＳｉ化合物およびＣの供給源となるＣ化合物を備える。また、Ｓｉ化合物とＣ化合物の両方、またはいずれか一方は、Ｆを含む化合物を備える。
（第１のＣＶＤ装置）
実施の形態に係るＳｉＣエピタキシャルウェハの製造装置であって、ＳｉＣエピタキシャル成長に適用可能な第１のＣＶＤ装置の模式的構成例は、図１４に示すように、
ガス注入口１４０と、ガス排気口１６０と、加熱部１００と、縦型反応炉１２０とを備える。
【００９３】
加熱部１００の加熱方式としては、抵抗加熱、コイルを用いた誘導加熱、ランプ加熱などを採用することができる。誘導加熱方式の場合、図に示していないが、カーボン製の部材がウェハ付近に配置され、カーボン製部材が発熱し、それに接触しているウェハまたは、発熱したカーボン製部材からの輻射でウェハが加熱される。
【００９４】
縦型反応炉１２０内には、複数枚のＳｉＣエピタキシャルウェハ１がフェースアップまたはフェースダウンに配置可能である。
【００９５】
縦型反応炉１２０の下部のガス注入口１４０から原料ガスが供給され、縦型反応炉１２０の上部のガス排気口１６０から排気される間に、複数枚のＳｉＣエピタキシャルウェハ１表面を流れた原料が反応し、ＳｉＣエピタキシャル成長層を形成する。
【００９６】
供給される原料ガスは、一般的には、以下で表記可能である。すなわち、ＳｉnＨxＣｌyＦz(ｎ＞＝１、ｘ＞＝０、ｙ＞＝０、ｚ＞＝１、ｘ＋ｙ＋ｚ＝２ｎ＋２）および／若しくはＣmＨqＣｌrＦs（ｍ＞＝１、ｑ＞＝０、ｒ＞＝０、ｓ＞＝１、ｑ＋ｒ＋ｓ＝２ｍ＋２）である。
【００９７】
キャリアガスとしては、Ｈ2、Ａｒ、ＨＣｌ、Ｆ2のいずれか１つ以上を適用可能である。
【００９８】
ドーパントの原料としては、Ｎ2またはトリメチルアルミニウム（ＴＭＡ：Trimethylaluminium：（ＣＨ3）3Ａｌ)を適用可能である。
【００９９】
（第２のＣＶＤ装置）
実施の形態に係るＳｉＣエピタキシャルウェハの製造装置であって、ＳｉＣエピタキシャル成長に適用可能な第２のＣＶＤ装置の模式的構成例は、図１５に示すように、
ガス注入口１４０と、ガス排気口１６０と、加熱部１００と、縦型反応炉１２０とを備える。
【０１００】
加熱部１００の加熱方式としては、抵抗加熱、コイルを用いた誘導加熱、ランプ加熱などを採用することができる。誘導加熱方式の場合、図に示していないが、カーボン製の部材がウェハ付近に配置され、カーボン製部材が発熱し、それに接触しているウェハまたは、発熱したカーボン製部材からの輻射でウェハが加熱される。
【０１０１】
縦型反応炉１２０内には、複数枚のＳｉＣエピタキシャルウェハ１がガスの流れに対して平行になるように配置される。
【０１０２】
縦型反応炉１２０の下部のガス注入口１４０から原料ガスが供給され、縦型反応炉１２０の上部のガス排気口１６０から排気される間に、複数枚のＳｉＣエピタキシャルウェハ１表面を流れた原料が反応し、ＳｉＣエピタキシャル成長層を形成する。
【０１０３】
供給される原料ガスは、一般的には、以下で表記可能である。すなわち、ＳｉnＨxＣｌyＦz(ｎ＞＝１、ｘ＞＝０、ｙ＞＝０、ｚ＞＝１、ｘ＋ｙ＋ｚ＝２ｎ＋２）および／若しくはＣmＨqＣｌrＦs（ｍ＞＝１、ｑ＞＝０、ｒ＞＝０、ｓ＞＝１、ｑ＋ｒ＋ｓ＝２ｍ＋２）である。
【０１０４】
キャリアガスとしては、Ｈ2、Ａｒ、ＨＣｌ、Ｆ2のいずれか１つ以上を適用可能である。
【０１０５】
ドーパントの原料としては、Ｎ2またはＴＭＡを適用可能である。
【０１０６】
（第３のＣＶＤ装置）
実施の形態に係るＳｉＣエピタキシャルウェハの製造装置２００であって、ＳｉＣエピタキシャル成長に適用可能な第３のＣＶＤ装置の模式的構成例は、図１６に示すように、ガス注入口１４０と、ガス排気口１６０と、加熱部１００と、横型反応炉１３０とを備える。
【０１０７】
加熱部１００の加熱方式としては、抵抗加熱、コイルを用いた誘導加熱、ランプ加熱などを採用することができる。誘導加熱方式の場合、図に示していないが、カーボン製の部材がウェハ付近に配置され、カーボン製部材が発熱し、それに接触しているウェハまたは、発熱したカーボン製部材からの輻射でウェハが加熱される。
【０１０８】
横型反応炉１３０内には、複数枚のＳｉＣエピタキシャルウェハ１がガスの流れに対して対向するように立てて配置可能である。
【０１０９】
横型反応炉１３０のガス注入口１４０から原料ガスが供給され、複数枚のＳｉＣエピタキシャルウェハ１を通り過ぎて、ガス排気口１６０から排気される間に、複数枚のＳｉＣエピタキシャルウェハ１表面を流れた原料が反応し、ＳｉＣエピタキシャル成長層を形成する。
【０１１０】
供給される原料ガスは、一般的には、以下で表記可能である。すなわち、ＳｉnＨxＣｌyＦz(ｎ＞＝１、ｘ＞＝０、ｙ＞＝０、ｚ＞＝１、ｘ＋ｙ＋ｚ＝２ｎ＋２）および／若しくはＣmＨqＣｌrＦs（ｍ＞＝１、ｑ＞＝０、ｒ＞＝０、ｓ＞＝１、ｑ＋ｒ＋ｓ＝２ｍ＋２）である。
【０１１１】
キャリアガスとしては、Ｈ2、Ａｒ、ＨＣｌ、Ｆ2のいずれか１つ以上を適用可能である。
【０１１２】
ドーパントの原料としては、Ｎ2またはＴＭＡを適用可能である。
【０１１３】
（第４のＣＶＤ装置）
実施の形態に係るＳｉＣエピタキシャルウェハの製造装置２００であって、ＳｉＣエピタキシャル成長に適用可能な第４のＣＶＤ装置の模式的構成例は、図１７に示すように、ガス注入口１４０と、ガス排気口１６０と、加熱部１００と、横型反応炉１３０とを備える。
【０１１４】
加熱部１００の加熱方式としては、抵抗加熱、コイルを用いた誘導加熱、ランプ加熱などを採用することができる。誘導加熱方式の場合、図に示していないが、カーボン製の部材がウェハ付近に配置され、カーボン製部材が発熱し、それに接触しているウェハまたは、発熱したカーボン製部材からの輻射でウェハが加熱される。
【０１１５】
横型反応炉１３０内には、複数枚のＳｉＣエピタキシャルウェハ１がフェースアップまたはフェースダウンに配置可能である。
【０１１６】
横型反応炉１３０のガス注入口１４０から原料ガスが供給され、複数枚のＳｉＣエピタキシャルウェハ１を通り過ぎて、ガス排気口１６０から排気される間に、複数枚のＳｉＣエピタキシャルウェハ１表面を流れた原料が反応し、ＳｉＣエピタキシャル成長層を形成する。
【０１１７】
供給される原料ガスは、一般的には、以下で表記可能である。すなわち、ＳｉnＨxＣｌyＦz(ｎ＞＝１、ｘ＞＝０、ｙ＞＝０、ｚ＞＝１、ｘ＋ｙ＋ｚ＝２ｎ＋２）および／若しくはＣmＨqＣｌrＦs（ｍ＞＝１、ｑ＞＝０、ｒ＞＝０、ｓ＞＝１、ｑ＋ｒ＋ｓ＝２ｍ＋２）である。
【０１１８】
キャリアガスとしては、Ｈ2、Ａｒ、ＨＣｌ、Ｆ2のいずれか１つ以上を適用可能である。
【０１１９】
ドーパントの原料としては、Ｎ2またはＴＭＡを適用可能である。
【０１２０】
以上のＳｉＣエピタキシャルウェハは、例えば、各種ＳｉＣ半導体素子の製造に利用することができる。以下では、それらの一例として、ＳｉＣショットキーバリアダイオード（ＳＢＤ：Schottky Barrier Diode）、ＳｉＣトレンチゲート（Ｔ：Trench）型金属酸化物半導体電界効果トランジスタ（ＭＯＳＦＥＴ:Metal Oxide Semiconductor Field Effect Transistor）、およびＳｉＣプレーナゲート型ＭＯＳＦＥＴの例を示す。
【０１２１】
（ＳｉＣ−ＳＢＤ）
実施の形態に係るＳｉＣエピタキシャルウェハを用いて作製したＳｉＣ−ＳＢＤ２１の模式的断面構造は、図１８に示すように表わされる。
【０１２２】
実施の形態に係るＳｉＣエピタキシャルウェハを用いて作製したＳｉＣ−ＳＢＤ２１は、図１８に示すように、ｎ+型（不純物濃度が、例えば、約１×１０18ｃｍ-3〜約１×１０21ｃｍ-3）のＳｉＣ基板２と、ｎ-型（不純物濃度が、例えば、約５×１０14ｃｍ-3〜約５×１０16ｃｍ-3）のＳｉＣエピタキシャル成長層３とからなるＳｉＣエピタキシャルウェハ１を備える。ｎ型ドーピング不純物としては、たとえば、Ｎ（窒素）、Ｐ（リン）、Ａｓ（ひ素）などを適用可能である。
【０１２３】
ＳｉＣ基板２の裏面（（０００−１）Ｃ面）は、その全域を覆うようにカソード電極２２を備え、カソード電極２２はカソード端子Ｋに接続される。
【０１２４】
また、ＳｉＣエピタキシャル成長層３の表面１０（（０００１）Ｓｉ面）は、ＳｉＣエピタキシャル成長層３の一部を活性領域２３として露出させるコンタクトホール２４を備え、活性領域２３を取り囲むフィールド領域２５には、フィールド絶縁膜２６が形成されている。
【０１２５】
フィールド絶縁膜２６は、ＳｉＯ2（酸化シリコン）からなるが、窒化シリコン（ＳｉＮ）など、他の絶縁物からなっていてもよい。このフィールド絶縁膜２６上には、アノード電極２７が形成され、アノード電極２７はアノード端子Ａに接続される。
【０１２６】
ＳｉＣエピタキシャル成長層３の表面１０近傍（表層部）には、アノード電極２７に接するようにｐ型のＪＴＥ（Junction Termination Extension）構造２８が形成されている。ＪＴＥ構造２８は、フィールド絶縁膜２６のコンタクトホール２４の内外に跨るように、コンタクトホール２４の輪郭に沿って形成されている。
【０１２７】
実施の形態に係るＳｉＣエピタキシャルウェハを用いて作製したＳｉＣ−ＳＢＤ２１によれば、リーク電流を低減可能である。
【０１２８】
（ＳｉＣ−ＴＭＯＳＦＥＴ）
実施の形態に係るＳｉＣエピタキシャルウェハを用いて作製したＳｉＣ−ＴＭＯＳＦＥＴ３１の模式的断面構造は、図１９に示すように表わされる。
【０１２９】
実施の形態に係るＳｉＣエピタキシャルウェハを用いて作製したＳｉＣ−ＴＭＯＳＦＥＴ３１は、図１９に示すように、ｎ+型（不純物濃度が、例えば、約１×１０18ｃｍ-3〜約１×１０21ｃｍ-3）のＳｉＣ基板２と、ｎ-型（不純物濃度が、例えば、約５×１０14ｃｍ-3〜約５×１０16ｃｍ-3）のＳｉＣエピタキシャル成長層３とからなるＳｉＣエピタキシャルウェハ１を備える。ｎ型ドーピング不純物としては、たとえば、Ｎ（窒素）、Ｐ（リン）、Ａｓ（ひ素）などを適用可能である。
【０１３０】
ＳｉＣ基板２の裏面（（０００−１）Ｃ面）は、その全域を覆うようにドレイン電極３２を備え、ドレイン電極３２はドレイン端子Ｄに接続される。
【０１３１】
ＳｉＣエピタキシャル成長層３の表面１０（（０００１）Ｓｉ面）近傍（表層部）には、ｐ型（不純物濃度が、例えば、約１×１０16ｃｍ-3〜約１×１０19ｃｍ-3）のボディ領域３３が形成されている。ＳｉＣエピタキシャル成長層３において、ボディ領域３３に対してＳｉＣ基板２側の部分は、エピタキシャル成長後のままの状態が維持された、ｎ-型のドレイン領域３４である。
【０１３２】
ＳｉＣエピタキシャル成長層３には、ゲートトレンチ３５が形成されている。ゲートトレンチ３５は、ＳｉＣエピタキシャル成長層３の表面１０からボディ領域３３を貫通し、その最深部がドレイン領域３４に達している。
【０１３３】
ゲートトレンチ３５の内面およびＳｉＣエピタキシャル成長層３の表面１０には、ゲートトレンチ３５の内面全域を覆うようにゲート絶縁膜３６が形成されている。そして、ゲート絶縁膜３６の内側を、たとえばポリシリコンで充填することによって、ゲートトレンチ３５内にゲート電極３７が埋設されている。ゲート電極３７には、ゲート端子Ｇが接続されている。
【０１３４】
ボディ領域３３の表層部には、ゲートトレンチ３５の側面の一部を形成するｎ+型のソース領域３８が形成されている。
【０１３５】
また、ＳｉＣエピタキシャル成長層３には、その表面１０からソース領域３８を貫通し、ボディ領域３３に接続されるｐ+型（不純物濃度が、例えば、約１×１０18ｃｍ-3〜約１×１０21ｃｍ-3）のボディコンタクト領域３９が形成されている。
【０１３６】
ＳｉＣエピタキシャル成長層３上には、ＳｉＯ2からなる層間絶縁膜４０が形成されている。層間絶縁膜４０に形成されたコンタクトホール４１を介して、ソース電極４２がソース領域３８およびボディコンタクト領域３９に接続されている。ソース電極４２には、ソース端子Ｓが接続されている。
【０１３７】
ソース電極４２とドレイン電極３２との間（ソース−ドレイン間）に所定の電位差を発生させた状態で、ゲート電極３７に所定の電圧（ゲート閾値電圧以上の電圧）を印加することにより、ゲート電極３７からの電界によりボディ領域３３におけるゲート絶縁膜３６との界面近傍にチャネルを形成することができる。これにより、ソース電極４２とドレイン電極３２との間に電流を流すことができ、ＳｉＣ−ＴＭＯＳＦＥＴ３１をオン状態にさせることができる。
【０１３８】
実施の形態に係るＳｉＣエピタキシャルウェハを用いて作製したＳｉＣ−ＴＭＯＳＦＥＴ３１は、キャリア移動度を向上させ高速化することができる。
【０１３９】
（ＳｉＣプレーナゲート型ＭＯＳＦＥＴ）
実施の形態に係るＳｉＣエピタキシャルウェハを用いて作製したプレーナゲート型のＳｉＣ−ＭＯＳＦＥＴの模式的断面構造は、図２０に示すように表わされる。
【０１４０】
実施の形態に係るＳｉＣエピタキシャルウェハを用いて作製したプレーナゲート型のＳｉＣ−ＭＯＳＦＥＴ５１は、図２０に示すように、ｎ+型（不純物濃度が、例えば、約１×１０18ｃｍ-3〜約１×１０21ｃｍ-3）のＳｉＣ基板２と、ｎ-型（不純物濃度が、例えば、約５×１０14ｃｍ-3〜約５×１０16ｃｍ-3）のＳｉＣエピタキシャル成長層３とからなるＳｉＣエピタキシャルウェハ１を備える。
【０１４１】
ＳｉＣ基板２の裏面（（０００−１）Ｃ面）には、全域を覆うようにドレイン電極５２が形成され、ドレイン電極５２には、ドレイン端子Ｄが接続されている。
【０１４２】
ＳｉＣエピタキシャル成長層３の表面１０（（０００１）Ｓｉ面）近傍（表層部）には、ｐ型（不純物濃度が、例えば、約１×１０16ｃｍ-3〜約１×１０19ｃｍ-3）のボディ領域５３がウェル状に形成されている。ＳｉＣエピタキシャル成長層３において、ボディ領域５３に対してＳｉＣ基板２側の部分は、エピタキシャル成長後のままの状態が維持された、ｎ-型のドレイン領域５４である。
【０１４３】
ボディ領域５３の表層部には、ｎ+型のソース領域５５がボディ領域５３の周縁と間隔を空けて形成されている。
【０１４４】
ソース領域５５の内側には、ｐ+型（不純物濃度が、例えば、約１×１０18ｃｍ-3〜約１×１０21ｃｍ-3）のボディコンタクト領域５６が形成されている。ボディコンタクト領域５６は、ソース領域５５を深さ方向に貫通し、ボディ領域５３に接続されている。
【０１４５】
ＳｉＣエピタキシャル成長層３の表面１０には、ゲート絶縁膜５７が形成されている。ゲート絶縁膜５７は、ボディ領域５３におけるソース領域５５を取り囲む部分（ボディ領域５３の周縁部）およびソース領域５５の外周縁を覆っている。
【０１４６】
ゲート絶縁膜５７上には、たとえばポリシリコンからなるゲート電極５８が形成されている。ゲート電極５８は、ゲート絶縁膜５７を挟んでボディ領域５３の周縁部に対向している。ゲート電極５８には、ゲート端子Ｇが接続される。
【０１４７】
ＳｉＣエピタキシャル成長層３上には、ＳｉＯ2からなる層間絶縁膜５９が形成されている。層間絶縁膜５９に形成されたコンタクトホール６０を介して、ソース電極６１がソース領域５５およびボディコンタクト領域５６に接続されている。ソース電極６１には、ソース端子Ｓが接続されている。
【０１４８】
ソース電極６１とドレイン電極５２との間（ソース−ドレイン間）に所定の電位差を発生させた状態で、ゲート電極５８に所定の電圧（ゲート閾値電圧以上の電圧）を印加することにより、ゲート電極５８からの電界によりボディ領域５３におけるゲート絶縁膜５７との界面近傍にチャネルを形成することができる。これにより、ソース電極６１とドレイン電極５２との間に電流を流すことができ、プレーナゲート型ＭＯＳＦＥＴ５１をオン状態にさせることができる。
【０１４９】
このプレーナゲート型ＭＯＳＦＥＴ５１においても、図１９のＳｉＣ−ＴＭＯＳＦＥＴ３１と同様に、キャリア移動度を向上させ高速化することができる。
【０１５０】
以上、本実施形態を説明したが、他の形態で実施することもできる。
【０１５１】
例えば、ＳｉＣ基板２の主面４（基板表面）は、（０００１）面に対して［−１１００］軸のオフ方向に４°以下のオフ角θで傾斜していてもよい。また、図示は省略するが、実施形態に係るＳｉＣエピタキシャルウェハを用いてＭＯＳキャパシタを製造することもできる。ＭＯＳキャパシタでは、歩留まりおよび信頼性を向上させることができる。また、信頼性については初期不良を減少させることができる。
【０１５２】
また、図示は省略するが、実施形態に係るＳｉＣエピタキシャルウェハを用いてバイポーラトランジスタを製造することもできる。その他、実施形態に係るＳｉＣエピタキシャルウェハは、ＳｉＣ−ｐｎダイオード、ＳｉＣ絶縁ゲートバイポーラトランジスタ（ＩＧＢＴ：Insulated Gate Bipolar Transistor）、ＳｉＣ相補型ＭＯＳＦＥＴなどの製造に用いることもできる。
【０１５３】
実施の形態に係るＳｉＣエピタキシャルウェハによれば、ＳｉＣエピタキシャル成長層の表面または界面の欠陥領域を減らすことができるため、リーク電流・酸化膜厚の不均一性・界面準位・表面再結合などが低減し、電界効果移動度が向上する。このため、高品質かつ高信頼性のＳｉＣ半導体装置を提供することができる。
【０１５４】
実施の形態によれば、膜厚均一性およびキャリア濃度均一性に優れ、表面欠陥の少ない高品質なＳｉＣエピタキシャルウェハ、ＳｉＣエピタキシャルウェハの製造装置、ＳｉＣエピタキシャルウェハの製造方法、および半導体装置を提供することができる。
【０１５５】
[その他の実施の形態]
上記のように、実施の形態に係るＳｉＣエピタキシャルウェハ、ＳｉＣエピタキシャルウェハの製造装置、ＳｉＣエピタキシャルウェハの製造方法、および半導体装置について記載したが、この開示の一部をなす論述および図面は例示的なものであり、この実施の形態を限定するものであると理解すべきではない。この開示から当業者には様々な代替実施の形態、実施例および運用技術が明らかとなろう。
【０１５６】
このように、ここでは記載していない様々な実施の形態などを含む。
【産業上の利用可能性】
【０１５７】
本実施形態のＳｉＣエピタキシャルウェハを適用した半導体装置は、電気自動車（ハイブリッド車を含む）・電車・産業用ロボットなどの動力源として利用される電動モータを駆動するインバータ回路用パワーモジュール、また、太陽電池・風力発電機その他の発電装置（とくに自家発電装置）が発生する電力を商用電源の電力に変換するインバータ回路用パワーモジュールなど幅広い応用分野に適用可能である。
【符号の説明】
【０１５８】
１…ＳｉＣエピタキシャルウェハ
２…基板
３…ＳｉＣエピタキシャル成長層
４…主面
１０…ＳｉＣエピタキシャル成長層の表面
１３…六方晶ＳｉＣインゴット
１４…ＳｉＣベアウェハ
１５…切り出し面
１６…酸化膜
２１…ＳｉＣ−ＳＢＤ
２２…カソード電極
２３…活性領域
２４…コンタクトホール
２５…フィールド領域
２６…フィールド絶縁膜
２７…アノード電極
２８…ＪＴＥ構造
３１…ＳｉＣ−ＴＭＯＳＦＥＴ
３２、５２…ドレイン電極
３３、５３…ボディ領域
３４…ドレイン領域
３５…ゲートトレンチ
３６、５７…ゲート絶縁膜
３７、５８…ゲート電極
３８、５５…ソース領域
３９、５６…ボディコンタクト領域
４０、５９…層間絶縁膜
４１、６０…コンタクトホール
４２、６１…ソース電極
５１…ＳｉＣ−ＭＯＳＦＥＴ
１００…加熱部
１２０…縦型反応炉
１３０…横型反応炉
１４０…ガス注入口
１６０…ガス排気口
２００…ＳｉＣエピタキシャルウェハの製造装置
ｔ１…ＳｉＣ基板の厚さ
ｔ２…ＳｉＣエピタキシャル成長層３の厚さ
θ…オフ角
Ｓ…ソース端子
Ｄ…ドレイン端子
Ｇ…ゲート端子
Ａ…アノード端子
Ｋ…カソード端子
【図１】
2015230998.tif 000003
【図２】
2015230998.tif 000004
【図３】
2015230998.tif 000005
【図４】
2015230998.tif 000006
【図５】
2015230998.tif 000007
【図６】
2015230998.tif 000008
【図７】
2015230998.tif 000009
【図８】
2015230998.tif 000010
【図９】
2015230998.tif 000011
【図１０】
2015230998.tif 000012
【図１１】
2015230998.tif 000013
【図１２】
2015230998.tif 000014
【図１３】
2015230998.tif 000015
【図１４】
2015230998.tif 000016
【図１５】
2015230998.tif 000017
【図１６】
2015230998.tif 000018
【図１７】
2015230998.tif 000019
【図１８】
2015230998.tif 000020
【図１９】
2015230998.tif 000021
【図２０】
2015230998.tif 000022
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
基板と、
前記基板上に配置されたＳｉＣエピタキシャル成長層と
を備えたＳｉＣエピタキシャルウェハであって、
前記ＳｉＣエピタキシャル成長層表面のパーティクルを含めた表面凹凸欠陥密度が１．０ｃｍ-2よりも少ないことを特徴とするＳｉＣエピタキシャルウェハ。
【請求項２】
前記表面凹凸欠陥密度が約０．０７ｃｍ-2よりも少ないことを特徴とする請求項１に記載のＳｉＣエピタキシャルウェハ。
【請求項３】
前記ＳｉＣエピタキシャルウェハのオフ角は、４度以下であることを特徴とする請求項１に記載のＳｉＣエピタキシャルウェハ。
【請求項４】
前記ＳｉＣエピタキシャル成長層は、４Ｈ−ＳｉＣ、６Ｈ−ＳｉＣ、２Ｈ−ＳｉＣ、若しくは３Ｃ−ＳｉＣのいずれかを備えることを特徴とする請求項１〜３のいずれか１項に記載のＳｉＣエピタキシャルウェハ。
【請求項５】
前記基板は、４Ｈ−ＳｉＣ、６Ｈ−ＳｉＣ、ＢＮ、ＡｌＮ、Ａｌ2Ｏ3、Ｇａ2Ｏ3、ダイヤモンド、カーボン、若しくはグラファイトのいずれかを備えることを特徴とする請求項１〜４のいずれか１項に記載のＳｉＣエピタキシャルウェハ。
【請求項６】
ＳｉＣインゴットを準備し、オフ角を付けて切り出し、研磨してＳｉＣベアウェハを形成する工程と、
前記ＳｉＣベアウェハの切り出し面を除去し、ＳｉＣ基板を形成する工程と、
前記ＳｉＣ基板上に、ＳｉＣエピタキシャル成長層を結晶成長させる工程と
を有し、エピタキシャル成長時に供給される原料ガスは、Ｓｉの供給源となるＳｉ化合物およびＣの供給源となるＣ化合物を備え、
前記Ｓｉ化合物と前記Ｃ化合物の両方、またはいずれか一方は、フッ素を含む化合物を備え、
前記ＳｉＣエピタキシャル成長層表面のパーティクルを含めた表面凹凸欠陥密度が１．０ｃｍ-2よりも少なくなるように制御することを特徴とするＳｉＣエピタキシャルウェハの製造方法。
【請求項７】
前記Ｓｉ化合物は、ＳｉＦ4、ＳｉＨ3Ｆ、ＳｉＨ2Ｆ2、若しくはＳｉＨＦ3のいずれかを備えることを特徴とする請求項６に記載のＳｉＣエピタキシャルウェハの製造方法。
【請求項８】
前記Ｓｉ化合物は、ＳｉnＨxＣｌyＦz（ｎ＞＝１，ｘ＞＝０、ｙ＞＝０、ｚ＞＝１、ｘ＋ｙ＋ｚ＝２ｎ＋２）で表わされることを特徴とする請求項６に記載のＳｉＣエピタキシャルウェハの製造方法。
【請求項９】
前記Ｃ化合物は、ＣＦ4、Ｃ2Ｆ6、Ｃ3Ｆ8、Ｃ4Ｆ6、Ｃ4Ｆ8、Ｃ5Ｆ8、ＣＨＦ3、ＣＨ2Ｆ2、ＣＨ3Ｆ、若しくはＣ2ＨＦ5のいずれかを備えることを特徴とする請求項６に記載のＳｉＣエピタキシャルウェハの製造方法。
【請求項１０】
前記Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表わされることを特徴とする請求項６に記載のＳｉＣエピタキシャルウェハの製造方法。
【請求項１１】
前記ＳｉＣエピタキシャル成長層は、４Ｈ−ＳｉＣ、６Ｈ−ＳｉＣ、２Ｈ−ＳｉＣ、若しくは３Ｃ−ＳｉＣのいずれかを備えることを特徴とする請求項６〜１０のいずれか１項に記載のＳｉＣエピタキシャルウェハの製造方法。
【請求項１２】
前記ＳｉＣエピタキシャル成長層を結晶成長させる温度プロファイルは、前記ＳｉＣエピタキシャル成長層を堆積する直前の水素エッチングの設定温度が、前記ＳｉＣエピタキシャル成長層を堆積する設定温度と同じでないことを特徴とする請求項６〜１１のいずれか１項に記載のＳｉＣエピタキシャルウェハの製造方法。
【請求項１３】
前記ＳｉＣエピタキシャル成長層を結晶成長させる温度プロファイルは、水素流量に応じた水素エッチング温度になるように制御することを特徴とする請求項６〜１１のいずれか１項に記載のＳｉＣエピタキシャルウェハの製造方法。
【請求項１４】
ガス注入口と、
ガス排気口と、
加熱部と、
反応炉と
を備え、エピタキシャル成長時に供給される原料ガスは、Ｓｉの供給源となるＳｉ化合物およびＣの供給源となるＣ化合物を備え、
前記Ｓｉ化合物と前記Ｃ化合物の両方、またはいずれか一方は、フッ素を含む化合物を備え、
前記ＳｉＣエピタキシャル成長層表面のパーティクルを含めた表面凹凸欠陥密度が１．０ｃｍ-2よりも少なくなるように形成することを特徴とするＳｉＣエピタキシャルウェハの製造装置。
【請求項１５】
前記Ｓｉ化合物は、ＳｉnＨxＣｌyＦz(ｎ＞＝１、ｘ＞＝０、ｙ＞＝０、ｚ＞＝１、ｘ＋ｙ＋ｚ＝２ｎ＋２）で表され、
前記Ｃ化合物は、ＣmＨqＣｌrＦs（ｍ＞＝１、ｑ＞＝０、ｒ＞＝０、ｓ＞＝１、ｑ＋ｒ＋ｓ＝２ｍ＋２）で表されることを特徴とする請求項１４に記載のＳｉＣエピタキシャルウェハの製造装置。
【請求項１６】
前記反応炉は、水素流量に応じた水素エッチング温度になるように制御可能なことを特徴とする請求項１４または１５に記載のＳｉＣエピタキシャルウェハの製造装置。
【請求項１７】
前記反応炉は、縦型反応炉を備え、前記縦型反応炉内には、複数枚のＳｉＣエピタキシャルウェハがガスの流れに対して平行になるように配置可能であることを特徴とする請求項１４〜１６のいずれか１項に記載のＳｉＣエピタキシャルウェハの製造装置。
【請求項１８】
前記反応炉は、横型反応炉を備え、前記横型反応炉内には、複数枚のＳｉＣエピタキシャルウェハが横型反応炉内には、複数枚のＳｉＣエピタキシャルウェハがガスの流れに対して対向するように立てて配置可能であることを特徴とする請求項１４〜１６のいずれか１項に記載のＳｉＣエピタキシャルウェハの製造装置。
【請求項１９】
キャリアガスは、Ｈ2、Ａｒ、ＨＣｌ、Ｆ2のいずれか１つ以上を適用可能であることを特徴とする請求項１４〜１８のいずれか１項に記載のＳｉＣエピタキシャルウェハの製造装置。
【請求項２０】
ドーパントの原料としては、Ｎ2またはトリメチルアルミニウムを適用可能であることを特徴とする請求項１４〜１９のいずれか１項に記載のＳｉＣエピタキシャルウェハの製造装置。
【請求項２１】
請求項１〜５のいずれか１項に記載のＳｉＣエピタキシャルウェハを備える半導体装置。
【請求項２２】
前記基板の表面に電極を有し、ＳｉＣエピタキシャル成長層の表面側に回路素子が形成されていることを特徴とする請求項２１に記載の半導体装置。
【請求項２３】
前記半導体装置は、ＳｉＣショットキーバリアダイオード、ＳｉＣ−ＭＯＳＦＥＴ、ＳｉＣバイポーラトランジスタ、ＳｉＣダイオード、ＳｉＣサイリスタ、若しくはＳｉＣ絶縁ゲートバイポーラトランジスタのいずれかであることを特徴とする請求項２１または２２に記載の半導体装置。
【手続補正２】
【補正対象書類名】明細書
【補正対象項目名】００１０
【補正方法】変更
【補正の内容】
【００１０】
実施の形態の一態様によれば、基板と、前記基板上に配置されたＳｉＣエピタキシャル成長層とを備えたＳｉＣエピタキシャルウェハであって、前記ＳｉＣエピタキシャル成長層表面のパーティクルを含めた表面凹凸欠陥密度が１．０ｃｍ-2よりも少ないＳｉＣエピタキシャルウェハが提供される。
【手続補正３】
【補正対象書類名】明細書
【補正対象項目名】００１１
【補正方法】変更
【補正の内容】
【００１１】
実施の形態の他の態様によれば、ＳｉＣインゴットを準備し、オフ角を付けて切り出し、研磨してＳｉＣベアウェハを形成する工程と、前記ＳｉＣベアウェハの切り出し面を除去し、ＳｉＣ基板を形成する工程と、前記ＳｉＣ基板上に、ＳｉＣエピタキシャル成長層を結晶成長させる工程とを有し、エピタキシャル成長時に供給される原料ガスは、Ｓｉの供給源となるＳｉ化合物およびＣの供給源となるＣ化合物を備え、前記Ｓｉ化合物と前記Ｃ化合物の両方、またはいずれか一方は、フッ素を含む化合物を備え、前記ＳｉＣエピタキシャル成長層表面のパーティクルを含めた表面凹凸欠陥密度が１．０ｃｍ-2よりも少なくなるように制御するＳｉＣエピタキシャルウェハの製造方法が提供される。
【手続補正４】
【補正対象書類名】明細書
【補正対象項目名】００１２
【補正方法】変更
【補正の内容】
【００１２】
実施の形態の他の態様によれば、ガス注入口と、ガス排気口と、加熱部と、反応炉とを備え、エピタキシャル成長時に供給される原料ガスは、Ｓｉの供給源となるＳｉ化合物およびＣの供給源となるＣ化合物を備え、前記Ｓｉ化合物と前記Ｃ化合物の両方、またはいずれか一方は、フッ素を含む化合物を備え、前記ＳｉＣエピタキシャル成長層表面のパーティクルを含めた表面凹凸欠陥密度が１．０ｃｍ-2よりも少なくなるように形成するＳｉＣエピタキシャルウェハの製造装置が提供される。